(57)【要約】【課題】本発明は、簡単な構造で嵌合することができ、カード５０の取扱い上破損し難く、コストアップにも繋がらないカード用コネクタ１０を提供する。【解決手段】本目的はカード５０が挿抜されるカード用コネクタ１０であって、カード５０をガイドするガイド部２２と本体部１８により嵌合部２４を形成するハウジング１２と、ハウジング１２の本体部１８に保持・固定される複数本のコンタクト１４とを備えたカード用コネクタ１０において、カード５０のどちらか一方の厚み方向で所定の位置に突出した凸部５６を設けるとともに凸部５６内に２本のカード側同軸コンタクト５４を配置し、ハウジング１２には凸部５６が入る突出部２０を設けるとともに突出部２０内にカード側同軸コンタクト５４に対応した位置に同軸コンタクト１６を配置することにより達成できる。【選択図】  図１
2005026122.tif 000002
【特許請求の範囲】
【請求項１】
カードが挿抜されるカード用コネクタであって、前記カードをガイドするガイド部と本体部により嵌合部を形成するハウジングと、該ハウジングの本体部に保持・固定される複数本のコンタクトとを備えたカード用コネクタにおいて、
前記カードのどちらか一方の厚み方向で所定の位置に突出した凸部を設けるとともに該凸部内に２本のカード側同軸コンタクトを配置し、前記ハウジングには前記凸部が入る突出部を設けるとともに該突出部内に前記カード側同軸コンタクトに対応した位置に同軸コンタクトを配置したことを特徴とするカード用コネクタ。
【請求項２】
前記突出部を前記カード用コネクタの幅方向のほぼ中央部付近の所定の位置に配置したことを特徴とする請求項１記載のカード用コネクタ。
【請求項３】
前記凸部を前記カードの嵌合部側に配置し、前記凸部内に配置された前記カード側同軸コンタクトを、前記コンタクトと嵌合するカード側コンタクトと平行に配設したことを特徴とする請求項１記載のカード用コネクタ。
【請求項４】
２本の前記同軸コンタクトを前記ハウジングの基板側に突出した突出部内に配置したことを特徴とする請求項３記載のカード用コネクタ。
【請求項５】
２本の前記同軸コンタクトの間に、ガイド凸部を設けたことを特徴とする請求項４記載のカード用コネクタ。
【発明の詳細な説明】
【０００１】
【発明の属する技術分野】
本発明は、通信モジュールとして無線ＬＡＮや車載用に使用されるカード用コネクタであって、特に同軸コンタクトを用いた構造に関するものである。
【０００２】
【従来の技術】
従来の同軸コンタクト付きカード用コネクタについては下述する。まず、カード用コネクタの概略構造について説明する。このカード用コネクタはカードが挿抜されるものであって、主にハウジングと所要数のコンタクトを備えている。前記ハウジングは、電気絶縁性のプラスチックで成形され、前記カードをガイドするガイド部と本体部により嵌合部を形成している。前記コンタクトは該ハウジングの本体部に保持・固定されている。
【０００３】
【特許文献１】
特開平８−１０７３６９号の要約によると、電子的なホスト機器での無線通信を可能とするプラグイン無線処理モジュールを提供することを目的とし、該目的を達成するために、無線通信が可能なホスト電子機器は、ビルトインアンテナと、プラグイン無線通信器が無線送信と無線受信のためビルトインアンテナに接続し、ホストと相互作用をすることを可能とする特別のプラグインレセプタクルからなることを特徴とし、また、プラグイン構成はＰＣＭＣＩＡ規格のような標準化されたプラグイン構成に適合するように構成され、標準化されたレセプタクルと競合しない標準化レセプタクルに加えて、付加的プラグイン能力を提供するように構成され、プラグイン構成は同じ標準化されたレセプタクルで他の目的のためのプラグインの使用を可能とするように構成されているとある。図２及び図７に嵌合側の両端側に長手方向に突出したＲＦ（同軸）コネクタが配置されたものが開示されている。
【０００４】
【特許文献２】
特開平８−３１５０８７号の要約によると、ケーブルが接続可能で厚さを増すことなく均一に平坦な板状のＰＣカードとそのためのコネクタを提供することを目的とし、該目的を達成するために、ＰＣカードは、コネクタとの接続のために、該コネクタへの挿入方向の前端面に信号用の接触子が複数設けられており、上記挿入方向に平行な側面に外部の信号接続部材と接続のための信号接続部材が設けられ、コネクタは、ＰＣカードの信号接続部材が設けられている側面に対応する一方のガイド部には、該側面に対して弾性部材により付勢されて信号接続部材保持体が上記側面に近接移動可能に設けられ、外部からの操作により上記信号接続部材保持体への上記弾性部材による付勢力に抗して該信号接続部材保持体をＰＣカード側面から離間移動せしめる接離機構を備えているとある。図２及び図６に一方の幅方向に同軸コネクタ（同軸コンタクト）が配置されたものが開示されている。
【０００５】
【発明が解決しようとする課題】
カード用コネクタを通信用モジュールとして使用する場合には、別のモジュールと接続するためのケーブル・コネクタ等をカードに接続する必要が生じ、取扱いが不便であり、接続部品も増え管理や保管が発生し、手間が掛かる。そこで、通信モジュールをカードと一体に出来きないかという要求が出てきた。
一体にした構造として、上述のような構造の特許文献１及び２のカード用コネクタがあるが、各々には次のような課題があった。
特許文献１の構造では、カードの嵌合側の両端側に長手方向に突出したＲＦ（同軸）コネクタが配置されているので、突出した部分の強度が弱く、カードの落下や取扱いによっては破損してしまい、接続不良の原因やデータ消滅等の問題があった。
特許文献２の構造では、一方の幅方向に同軸コネクタ（同軸コンタクト）が配置されているので、カードをコネクタに挿入した後に１アクション必要になり、工数が増えてしまうという問題があった。また、自動で行えるようにすると、機構が複雑になり、コストアップに繋がってしまう。
【０００６】
本発明は、このような従来の問題点に鑑みてなされたもので、簡単な構造で嵌合することができ、カードの取扱い上破損し難く、コストアップにも繋がらないカード用コネクタを提供する。
【０００７】
【課題を解決するための手段】
上記目的は、カード５０が挿抜されるカード用コネクタ１０であって、前記カード５０をガイドするガイド部２２と本体部１８により嵌合部２４を形成するハウジング１２と、該ハウジング１２の本体部１８に保持・固定される複数本のコンタクト１４とを備えたカード用コネクタ１０において、前記カード５０のどちらか一方の厚み方向で所定の位置に突出した凸部５６を設けるとともに該凸部５６内に２本のカード側同軸コンタクト５４を配置し、前記ハウジング１２には前記凸部５６が入る突出部２０を設けるとともに該突出部内２０に前記カード側同軸コンタクト５４に対応した位置に同軸コンタクト１６を配置することにより達成できる。
【０００８】
前記突出部２０を前記カード用コネクタ１０の幅方向のほぼ中央部付近の所定の位置に配置する。
前記凸部５６を前記カード５０の嵌合部側に配置し、前記凸部５６内に配置された前記カード側同軸コンタクト５４を、前記コンタクト１４と嵌合するカード側コンタクト５２と平行に配設する。雌雄の同軸コンタクト１６、５４を露出しないような構造になっているので、同軸コンタクト１６、５４の破損がし難い。
２本の前記同軸コンタクト１６を前記ハウジング１２の基板側に突出した突出部２０内に配置する。
さらにまた、２本の前記同軸コンタクト１６の間に、ガイド凸部２６を設ける。確実に雌雄の同軸コンタクト１６、５４を破損することなく嵌合することができる。
【０００９】
【発明の実施の形態】
図に基づいて、本発明のカード用コネクタについて説明する。
図１は、本発明のカード用コネクタと嵌合方向からみた部分的なカードの斜視図である。図２は嵌合方向からみたカードの正面図と側面図である。図３は本発明のカード用コネクタの嵌合方向からみた正面図と側面図である。
本発明のカード用コネクタ１０は、主にハウジング１２とコンタクト１４と同軸コンタクト１６とを備えている。本カード用コネクタ１０には、所定のカード５０が挿入される。
【００１０】
まず、カード５０について説明する。前記カード５０は通信モジュールとして無線ＬＡＮや車載用に使用するもので、２本のカ−ド側同軸コンタクト５４が配置され、その大きさは客先仕様によって決まる。例えば、ＰＣＭＣＩＡカードの場合は８５．６（長さ）Ｘ５４（幅）Ｘ３．３（高さ）ｍｍ程度で、ＣＦカードの場合は３６．４（長さ）Ｘ４２．８（幅）Ｘ３．３（高さ）ｍｍ程度である。前記カード５０の内部には、基板が内蔵され、所要数のカード側コンタクト５２（コンタクトのタイプは雌雄どちらでも可）と２本のカード側同軸コンタクト５４は該基板に接続している。
前記カード側コンタクト５２は信号用に使用されるものであり、カード５０の一方端側の挿入孔５８内に所要数配置されている。
前記カード側同軸コンタクト５４は所定の位置に２本だけ配置されている。つまり、前記カード５０のどちらか一方の厚み方向の所定の位置に突出した凸部５６が設けられ、該凸部５６内に２本のカード側同軸コンタクト５４を配置している。前記凸部５６の設ける位置は、前記カード５０が挿入される機器内のスペースやカード用コネクタ１０（相手コネクタ）の加工性や基板等への実装性などを考慮して適宜設計される。該凸部５６の大きさはカード用コネクタ１０の小型化や強度等を考慮して適宜設計するが、本実施例では前記凸部５６をカード５０の嵌合側のほぼ中央部付近に設け、該凸部５６の厚みは４ｍｍ程度にしている。
【００１１】
前記カード用同軸コンタクト５４の本数は、アンテナ用の２本である。また、前記凸部５６には確実にカード側同軸コンタクト５４とカード用コネクタ１０側の同軸コンタクト１６とを嵌合させるためのガイド孔６０が設けられている。このガイド孔６０の大きさは、その役割やカード用コネクタ１０の小型化を考慮して適宜設計する。
【００１２】
次に、前記カード用コネクタ１０の構成部品について説明する。
前記ハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（ＰＡ）や液晶ポリマー（ＬＣＰ）やポリカーボネート（ＰＣ）やポリフェニレンサルファイド（ＰＰＳ）やこれらの合成材料を挙げることができる。
前記ハウジング１２には前記カード５０をガイドするガイド部２２と本体部１８とを備え、これらによって前記カード５０が入る嵌合部２４が形成されている。前記ガイド部２２は前記本体部１８の長手方向両側に設けられ、前記カード５０を前記本体部１８まで導くための挿入溝３０が設けられている。該挿入溝３０は前記カード５０を前記本体部１８まで導くことが出来ればよく、前記カード５０の大きさより０．１ｍｍ程度大きくしている。また、出来る限り、同軸コンタクト１６が外部に露出しないようにしている。
【００１３】
前記ハウジング１２には、前記カード５０の凸部５６に対応した位置に前記凸部５６が入る突出部２０を設け、かつ、該突出部２０内に前記カード側同軸コンタクト５４に対応した位置に同軸コンタクト１６が配置されている。さらにまた、前記ガイド孔６０に入る大きさのガイド凸部２６を２本の前記同軸コンタクト１６の間に設けている。
【００１４】
前記本体部１８には、前記コンタクト１４や前記同軸コンタクト１６が挿入される挿入孔が設けられており、また、該挿入孔に所要数の前記コンタクト１４や前記同軸コンタクト１６が装着され、前記コンタクト１４や前記同軸コンタクト１６は圧入や引っ掛け（ランス）や溶着等によって固定されている。
【００１５】
次に、前記コンタクト１４は主にカード側コンタクト５２（相手コンタクト）と接触する接触部３２と前記ハウジング１２に固定される固定部と基板等に接続される接続部３４とを備えている。前記コンタクト１４は金属製であり、公知技術のプレス加工によって製作されている。前記コンタクト１４の材質としては導電性や寸法安定性などが要求されるので、導電率の良い、、ベリリウム銅や低ベリリウム銅やリン青銅等を挙げることができる。前記コンタクト１４のタイプとしては、雌雄どちらでも良いが、前記カード側コンタクト５２と嵌合できるように適宜設計している。
【００１６】
最後に、前記同軸コンタクト１６は主にカード側同軸コンタクト５４と接触する接触部３２と前記ハウジング１２に固定される固定部と基板等に接続される接続部３４とを備えている。前記同軸コンタクト１６は金属製であり、公知技術のプレス加工や切削加工によって製作されている。前記同軸コンタクト１６の材質としては導電性や寸法安定性などが要求されるので、導電率の良い、、ベリリウム銅や低ベリリウム銅やリン青銅等を挙げることができる。
【００１７】
前記コンタクト１４は電気信号の相互やり取りをすることで前記カード５０から情報を読み込んだり、情報を書き込んだりするものであり、前記同軸コンタクト１６はアンテナとしての通信用に使用し、外部との相互送信を行うものである。
【００１８】
【発明の効果】
以上の説明から明らかなように、本発明のような構造のカード用コネクタ１０によると、次のような優れた効果が得られる。
（１）カード５０が挿入されるカード用コネクタ１０であって、前記カード５０をガイドするガイド部２２と本体部１８により嵌合部２４を形成するハウジング１２と、該ハウジング１２の本体部１８に保持・固定される複数本のコンタクト１４とを備えたカード用コネクタ１０において、前記カード５０のどちらか一方の厚み方向で所定の位置に突出した凸部５６を設けるとともに該凸部５６内に２本のカード側同軸コンタクト５４を配置し、前記ハウジング１２には凸部５６が入る突出部２０を設けるとともに突出部２０内に前記カード側同軸コンタクト５４に対応した位置に同軸コンタクト１６を配置しているので、簡単に嵌合でき、カード５０が破損することない安価なカード用コネクタ１０を提供できる。
（２）前記突出部２０を前記カード用コネクタ１０の幅方向のほぼ中央部付近の所定の位置に配置しているので、コネクタ１０のバランスがよく、安定した接触を得ることができる。
（３）前記凸部５６を前記カード５０の嵌合部側に配置し、前記凸部５６内に配置された前記カード側同軸コンタクト５４を、前記コンタクト１４と嵌合するカード側コンタクト５２（相手コンタクト）と平行に配設しているので、同軸コンタクト１６が露出していないため該同軸コンタクト１６が変形することがなく、安定した接触を得ることができる。
（４）２本の前記同軸コンタクト１６を前記ハウジング１２の基板側に突出した突出部２０内に配置しているので、同軸コンタクト１６が露出していないため該同軸コンタクト１６が変形することがなく、安定した接触を得ることができる。
（５）２本の前記同軸コンタクト１６の間に、ガイド凸部２６を設けているので、より確実に雌雄の同軸コンタクト１６、５４が嵌合でき、安定した接触を得ることができる。
【図面の簡単な説明】
【図１】本発明のカード用コネクタと嵌合方向からみた部分的なカードの斜視図である。
【図２】嵌合方向からみたカードの正面図と側面図である。
【図３】本発明のカード用コネクタの嵌合方向からみた正面図と側面図である。
【符号の説明】
１０              カード用コネクタ
１２              ハウジング
１４              コンタクト
１６              同軸コンタクト
１８              本体部
２０              突出部
２２              ガイド部
２４              嵌合部
２６              ガイド凸部
２８              イジェクトレバー
３０              挿入溝
３２              接触部
３４              接続部
５０              カード
５２              カード側コンタクト
５４              カード側同軸コンタクト
５６              凸部
５８              挿入孔
６０              ガイド孔
【図１】
2005026122.tif 000003
【図２】
2005026122.tif 000004
【図３】
2005026122.tif 000005